(57)【要約】【課題】  電池収納構造において、電池パックを確実に支持できるとともに、ＡＣ電源を使用する際に伴う筐体外部における防水対策を不要とする。【解決手段】  リアーケース５の矢印Ｂ方向の端部には、ＡＣ電源が供給されるコンセントが着脱自在に取り付けられる金属製の支持板４０が取り付けられている。リアーケース５の背面板１０には、電池収納部３５に収納される小容量の電池パック３７の倒れ込みを規制する規制片３６が一体に突設され、電池パック３７の底部は支持板４０に支持される。規制片３６は基端部が背面板１０から破断可能であり、破断することにより大容量の電池パックを電池収納部３５に収納可能となる。背面板１０には、支持板４０を支持する支持部４４が一体に突設されている。【選択図】  図１２
2008091060.tif 000002
【特許請求の範囲】
【請求項１】
プラスチックによって形成された筺体に設けられた電池収納部と、前記筺体に取り付けられ電池収納部に収納される電池の底部を支持する金属製の支持板と、前記筺体に取り付けられ前記支持板に支持された電池の倒れ込みを規制する金属製の規制板とを備え、前記支持板にＡＣ電源に電気的に接続されるコンセントが着脱自在に取り付けられることを特徴とする電池の収納構造。
【請求項２】
前記筐体に、前記支持板を支持する支持部を一体に設けたことを特徴とする請求項１記載の電池の収納構造。
【請求項３】
前記筺体に、前記規制板と共に電池の倒れ込みを規制する規制片を一体に設け、この規制片を筺体から破断可能としたことを特徴とする請求項１または２記載の電池の収納構造。
【請求項４】
前記規制板に、電池との間に介在する弾性材によって形成された遊動規制部材を設けたことを特徴とする請求項１ないし３のいずれか一項記載の電池の収納構造。
【発明の詳細な説明】
【技術分野】
【０００１】
本発明は、電源として電池とＡＣ電源とを選択して使用できる電子機器等における電池の収納構造に関するものである。
【背景技術】
【０００２】
この種の電池の収納構造としては、プラスチックによって形成した筐体にＡＣ電源ユニットを収納するために一方の面に開口を有するユニット収納部を設け、電源として電池を使用する場合は、ＡＣ電源ユニットの替わりにこのユニット収納部に電池パックを収納し、収納した電池パックが開口側から抜けるのを規制する抜け規制部材をユニット収納部に取り付けるようにしたものがある（例えば、特許文献１参照）。
【特許文献１】特開２００５−２０９４０５号公報（段落〔００１２〕〜〔００２８〕、図３ないし図１０）
【発明の開示】
【発明が解決しようとする課題】
【０００３】
上述した従来の電池の収納構造においては、ユニット収納部に収納される電池パックの底部をユニット収納部から一体に突設した支持片によって支持する構造としている。このため、電池パックの容量が大きくなり、かつ電池パックの厚みが厚くなると、プラスチックによって形成された支持片の全長が長くなることにより、支持片が破損し電池パックを支持しきれなくなるという問題があった。また、筺体内にＡＣ電源ユニットを収納し、このＡＣ電源ユニットから導出されたケーブルの先端部に設けられたプラグを筐体の外部においてＡＣ電源のコンセントに接続させる構造としている。このため、筺体の外部におけるプラグとコンセントとの電気的接続に伴う防水対策が必要になるという問題もあった。
【０００４】
本発明は上記した従来の問題に鑑みなされたものであり、その目的とするところは、電池パックを確実に支持でき、ＡＣ電源を使用する際に伴う筐体外部における防水対策を不要とする電池収納構造を提供するところにある。
【課題を解決するための手段】
【０００５】
この目的を達成するために、請求項１に係る発明は、プラスチックによって形成された筺体に設けられた電池収納部と、前記筺体に取り付けられ電池収納部に収納される電池の底部を支持する金属製の支持板と、前記筺体に取り付けられ前記支持板に支持された電池の倒れ込みを規制する金属製の規制板とを備え、前記支持板にＡＣ電源に電気的に接続されるコンセントが着脱自在に取り付けられることを特徴とする。
【０００６】
請求項２に係る発明は、請求項１に係る発明において、前記筐体に、前記支持板を支持する支持部を一体に設けたものである。
【０００７】
請求項３に係る発明は、請求項１または２に係る発明において、前記筺体に、前記規制板と共に電池の倒れ込みを規制する規制片を一体に設け、この規制片を筺体から破断可能としたものである。
【０００８】
請求項４に係る発明は、請求項１ないし３のいずれか一項に係る発明において、前記規制板に、電池との間に介在する弾性材によって形成された遊動規制部材を設けたものである。
【発明の効果】
【０００９】
請求項１に係る発明によれば、電池収納部に収納された電池が金属製の支持板によって支持されるため、電池の重量によって支持板が破損するようなことがないから電池を確実に支持することができる。また、コンセントを支持板に取り付けるようにしたことにより、コンセントとＡＣアダプターのプラグの電気的接続を筺体内でできるため、従来のように筺体の外部におけるコンセントとプラグとの電気的接続に伴う防水工事が不要になるから、筺体を設置する作業者の負担を軽減することができる。
【００１０】
請求項２に係る発明によれば、支持部で支持板が支持されるため支持板によって電池をより確実に支持することができる。
【００１１】
請求項３に係る発明によれば、規制片を破断することによって、電池収納部に容量の異なる電池を収納することができる。
【００１２】
請求項４に係る発明によれば、遊動規制部材によって電池の遊動を規制することができるため、電池に傷が付いたりするようなことがないとともに、筺体に取り付けられている支持板や規制板の取付部の耐久性も向上する。
【発明を実施するための最良の形態】
【００１３】
以下、本発明の実施の形態を図に基づいて説明する。図１は本発明に係る電池の収納構造を適用した電子機器の正面図、図２は同じく側面図、図３は図１におけるIII-III 線断面図、図４は同じくフロントケースを取り外した状態の正面図、図５は同じくリアケースにＡＣアダプターを装填した状態を示す斜視図、図６は図４におけるVI-VI 線断面図、図７は同じくフロントケースを正面側から見た斜視図、図８は同じくフロントケースを背面側から見た斜視図である。
【００１４】
図９は本発明に係る電池の収納構造を適用した電子機器の蓋体を底面側から見た斜視図、図１０は同じくアンテナ基板を示し、同図（Ａ）は平面図、同図（Ｂ）は正面図、同図（Ｃ）は底面側から見た斜視図、図１１は図１におけるXI-XI 線断面図、図１２は小容量の電池を収納した状態を示す図４におけるXII-XII 線断面図、図１３は図２におけるXIII-XIII 線断面図、図１４は図１３におけるXIV-XIV 線断面図である。
【００１５】
図３に全体を符号１で示す電子機器は、上部（矢印Ａ方向）に開口２を有する筺体３と、この筺体３の開口２を閉塞するプラスチックによって形成された蓋体４とを備え、筺体３は共にプラスチックによって形成されたリアケース５とフロントケース６とによって構成されている。なお、図中矢印Ａ−Ｂは、電子機器１を電柱等に取り付けたときの方向を示すものであって、矢印Ａは鉛直方向での上方を示し、矢印Ｂは鉛直方向での下方を示す。
【００１６】
リアケース５は、図５に示すように背面板１０とこの背面板１０の外周部を囲むように一体に立設された囲い壁１１とによって、図中上方に開口１２を有する浅底状に形成されている。囲い壁１１は、上面部１３と両側部１４，１５と底部１６とによって枠状に形成されており、上面部１３は、中央部に対して両側部１４，１５側の両端部が矢印Ｂ方向に向かうように湾曲形成されている。上面部１３および両側部１４，１５のそれぞれの開口端には、フランジ１７，１８，１９が一体に設けられている。
【００１７】
フランジ１８，１９のそれぞれの外側には、矢印Ａ−Ｂ方向に延在する開口端縁としての結合板２０，２１が一体に立設されており、これら各結合板２０，２１に対向するように壁２２，２３が各フランジ１８，１９の内側に一体に立設されている。後述するようにリアケース５の開口１２をフロントケース６によって閉塞することにより、壁２２とフロントケース６の後述する側部５３の開口端縁５３ａとの間および壁２３とフロントケース６の後述する側部５２の開口端縁５２ａとの間には、水抜き用通路２４，２４が形成されている。
【００１８】
上面部１３の中央部には、矢印Ａ方向に向かって壁掛け用支持部２５が一体に突設されており、この壁掛け用支持部２５の突設端部の左右には、平面視Ｕ字状に形成された一対の凹部２６，２６が凹設され、これら凹部２６，２６には達磨状に形成されたフック孔２７，２７（図４参照）が設けられている。この壁掛け用支持部２５とフランジ１７との間には、隙間２８が設けられており、壁掛け用支持部２５の基端部には、隙間２８に連通され壁掛け用支持部２５を貫通形成された３つの水抜き用孔２９が設けられている。
【００１９】
底部１６の中央部には、図４に示すように被支承部３０が一体に突設されており、この被支承部３０には平面視Ｕ字状に形成された凹部３１が凹設されている。図５において、３２は背面板１０に一体に立設された枠部材であって、この枠部材３２上に台座３３が取り付けられている。枠部材３２と上面部１３と側部１４と底部１６とよって囲まれた部位に電池収納部３５が形成されており、この電池収納部３５には、背面板１０に一体に立設され互いに対向する一対の規制片３６，３６が設けられている。
【００２０】
この規制片３６は、後述する規制板４６と共に小容量の電池パック３７の倒れ込みを規制するものであって、基端部が背面板１０から破断可能に形成されており、破断することにより、図１４に示すように大容量の電池パック３８が電池収納部３５に収納可能なように構成されている。すなわち、大容量の電池パック３８は、背面板１０に一体に突設された凸部３９と規制板４６とによって倒れ込みが規制される。
【００２１】
図４において、４０は電池収納部３５に収納された図示してない電池パック３７，３８の底部を支持する金属製の支持板であって、ねじ４１によって電池収納部３５の矢印Ｂ方向の端部において背面板１０に取り付けられており、図５に示すように上端部と一方の側部に折曲部４０ａ，４０ｂが設けられている。この支持板４０には、電池収納部３５内に位置するようにコンセント４２がねじによって着脱自在に取り付けられており、このコンセント４２には、電子機器１の外部に導出されたケーブル（図示せず）を介してＡＣ電源が供給される。４３はこのコンセント４２にプラグが挿抜されるＡＣアダプターである。
【００２２】
図４、図６および図１２において、４４，４５は背面板１０に一体に立設された支持部であって、支持板４０に対接しており、電池収納部３５に収納される電池パック３７，３８の底部を支持する支持板４０を支持するものである。図４および図５において、４６はねじ４７によって台座３３に取り付けられた金属製の規制板であって、上端部に折曲部４６ａが設けられている。この折曲部４６ａの下面には、図５に示すように電池収納部３５に収納される電池パック３７，３８との間に介在し弾性材によって形成された遊動規制部材４８が設けられている。図５において、４９は棒状に形成されたアンテナであって、リアケース５内に実装された制御基板（図示せず）から導出されている。
【００２３】
次に、図７および図８を用いてフロントケース６について説明する。フロントケース６は、前板５１と両側板５２，５３と底板５４とを一体に成形することによって形成されており、両側板５２，５３の開口端縁５２ａ，５３ａは、リアケース５の内側に入り込むように断面クランク状に形成されている。したがって、フロントケース６によってリアケース５の開口１２を閉塞することにより、リアケース５の各結合板２０，２１の外面と両側板５２，５３の外面との間に段差が形成されないように、結合板２０，２１と開口端縁５２ａ，５３ａとが結合板２０，２１を外側にして重ね合わされる。
【００２４】
前板５１と両側板５２，５３の矢印Ａ方向の開口端縁５１ａ，５２ｂ，５３ｂは、蓋体４の内側に入り込むように断面クランク状に形成されている。したがって、蓋体４によって筺体３の開口２を閉塞することにより、前板５１と両側板５２，５３の外面と蓋体４の後述する前板５６、両側板５７，５８の開口端縁の外面との間に段差が形成されないように、開口端縁５１ａ，５２ｂ，５３ｂと前板５６、両側板５７，５８の開口端縁とが前板５６、両側板５７，５８の開口端縁を外側にして重ね合わされる。
【００２５】
底板５４の両端の下端部には、水抜き口５４ａ，５４ａが設けられており、この水抜き口５４ａ，５４ａは、フロントケース６によってリアケース５の開口１２を閉塞することにより、水抜き用通路２４，２４に連通され、水抜き用通路２４，２４内に滞留した雨水を電子機器１の外部に導き排出する。
【００２６】
次に、図９を用いて蓋体４について説明する。蓋体４は、上板５５と、この上板５５の外周から一体に立設された前板５６、両側板５７，５８、後板５９とによって下方が開口した浅底の箱状に形成されている。上板５５の両端部には、後述するアンテナ基板と上記したアンテナ４９とがそれぞれ覆われる一対の筒状体６０Ａ，６０Ｂが互いに対向するように一体に立設されている。また、この上板５５の裏面には、一方の筒状体６０Ａの開口を囲むように、後述する基板ホルダー６５を取り付けるためのスタッド６１と、このスタッド６１に隣接して後述するパケットデータ通信用モジュール７３を取り付けるためのスタッド６２とが一体に立設されている。
【００２７】
後板５９の下端部には、後板５９と直交する鍔５９ａが後板５９の全体にわたって一体に突設されており、この鍔５９ａの両端部には、蓋体４を上記したリアケース５にねじ止めするためのねじ挿通孔５９ｂが形成された取付体５９ｃが一体に設けられている。この蓋体４をリアケース５に取り付けることにより、上記したようにフロントケース６の前板５１、両側板５２，５３の開口端縁５１ａ，５２ｂ，５３ｂと、蓋体４の前板５６、両側板５７，５８の開口端縁とが、前板５６、両側板５７，５８の開口端縁を外側にして重ね合わせられる。
【００２８】
同時に、蓋体４の後板５９と、リアケース５のフランジ１７とが、後板５９を外側にして重ね合わされるため、筺体３の開口２が蓋体４によって閉塞される。このとき、後板５９の鍔５９ａが、壁掛け用支持部２５とフランジ１７との間に設けられた隙間２８に嵌合し、この鍔５９ａと後板５９と壁掛け用支持部２５とによって、図３に示すように水抜き用溝６０が形成される。この水抜き用溝６０は、上記した水抜き用孔２９と連通している。
【００２９】
したがって、この蓋体４によって筺体３の開口２が閉塞された状態で、前板５１、両側板５２，５３の開口端縁５１ａ，５２ｂ，５３ｂと、蓋体４の前板５６、両側板５７，５８の開口端縁とが、前板５６、両側板５７，５８の開口端縁を外側にして重ね合わせられ、かつ蓋体４の後板５９と、リアケース５のフランジ１７とが、後板５９を外側にして重ね合わされる。すなわち、蓋体４の開口端縁と筺体３の開口端縁とを全周にわたって蓋体４の開口端縁を外側にして重ね合わせられる。
【００３０】
次に、図９、図１０および図１３を用いてアンテナ基板の収納構造について説明する。図１０において、６５は基板ホルダーであって、規制部としての底板６６と、この底板６６から一体に立設された３つの側板６７，６８，６９と、これら側板６７，６８，６９の上端に一体に形成された上板７０とを備えている。側板６８には、同図（Ａ）に示すように位置決め用突起６８ａ，６８ａとスタッド６８ｂとが一体に突設されている。上板７０の中央部には開口７０ａが設けられており、四隅に位置決め用突起７０ｂと３つの挿通孔７０ｃとが設けられている。
【００３１】
７１はアンテナが印刷されているアンテナ基板であって、基部が基板ホルダー６５の位置決め用突起６８ａに位置決めされスタッド６８ｂにねじ止めされることにより、基部が基板ホルダー６５によって囲まれた状態で、上板７０の開口７０ａから突出するように、同図（Ｂ）に示すように基板ホルダー６５に立設した状態で取り付けられる。アンテナ基板７１が取り付けられた基板ホルダー６５は、アンテナ基板７１が蓋体４の筒状体６０Ａ内に嵌入し、上板７０の挿通孔７０ｃに挿通させたねじ（図示せず）を蓋体４のスタッド６１に螺合させることにより、図１３に示すように蓋体４の裏面に取り付けられる。
【００３２】
図１３において、７３はアンテナ基板７１に電気的に接続されるパケットデータ通信用モジュールであって、アンテナ基板７１に近接するように、蓋体４のスタッド６２に取り付けられている。このパケットデータ通信用モジュール７３の表面と電池収納部３５に収納された大容量の電池パック３８との距離Ｌ２は、基板ホルダー６５の底板６６と電池パック３８との距離Ｌ１よりも長くなるように設定されている。
【００３３】
次に、図５，図６および図１１ないし図１４を用いて、このように構成された電池の収納構造において、電源としてＡＣ電源を使用する場合と電池を使用する場合とについて説明する。先ず、ＡＣ電源を使用する場合は、図５に示すように支持板４０にコンセント４２を取り付け、このコンセント４２にＡＣアダプター４３を電気的に接続する。このように、コンセント４２とＡＣアダプター４３の電気的接続を筺体３内で行えるため、従来のように筺体３の外部におけるコンセントとプラグとの電気的接続に伴う防水対策が不要になるから、電子機器１を設置する作業者の負担を軽減することができる。
【００３４】
次に、小容量の電池パック３７を使用する場合について説明する。この場合は、図５に示す状態から、ＡＣアダプター４３をコンセント４２から抜き取り筐体３から取り外した後に、コンセント４２を支持板４０から取り外す。次いで、小容量の電池パック３７によって規制板４６の遊動規制部材４８を弾性変形させながら、電池パック３７を規制片３６と規制板４６の折曲部４６ａとの間に挿入し、電池パック３７の底部を支持板４０に支持させる。この状態で、電池パック３７は、図１２に示すように規制片３６と遊動規制部材４８とによって保持されるため、電池収納部３５内での倒れ込みが規制された状態で電池収納部３５に収納される。
【００３５】
このように、遊動規制部材４８の弾性変形によって電池パック３７の遊動を規制することができるため、電池パック３７に傷が付いたりするようなことがなく、また支持板４０や規制板４６をリアケース５に取り付けているねじ４１，４７の螺合が緩むようなことがないから取付部の耐久性も向上する。また、電池パック３７の底部が金属製の支持板４０によって支持されるため、電池パック３７の重量によって支持板４０が破損するようなことがないから電池パック３７を確実に支持することができる。このとき、図６に示すように支持部４５で支持板４０が支持されているとともに、図１２に示すように支持部４４によって支持板４０が支持されていることにより、支持板４０によって電池パック３７をより確実に支持することができる。
【００３６】
次いで、大容量の電池パック３８を使用する場合は、規制片３６，３６の基端部をリアケース５の背面板１０から破断し、規制片３６，３６を除去する。しかるのち、大容量の電池パック３８によって規制板４６の遊動規制部材４８を弾性変形させながら、電池パック３８を背面板１０の凸部３９と規制板４６の折曲部４６ａとの間に挿入し、電池パック３８の底部を支持板４０に支持させる。この状態で、電池パック３８は、図１４に示すように凸部３９と遊動規制部材４８とによって保持されるため、電池収納部３５内での倒れ込みが規制された状態で電池収納部３５に収納される。このように、リアケース５の背面板１０から破断可能な規制片３６を設けたことにより、異なる容量の電池パック３７，３８を電池収納部３５に選択的に収納可能となる。
【図面の簡単な説明】
【００３７】
【図１】本発明に係る電池の収納構造を適用した電子機器の正面図である。
【図２】本発明に係る電池の収納構造を適用した電子機器の側面図である。
【図３】図１におけるIII-III 線断面図である。
【図４】本発明に係る電池の収納構造を適用した電子機器において、フロントケースを取り外した状態の正面図である。
【図５】本発明に係る電池の収納構造を適用した電子機器において、リアーケースにＡＣアダプターを装填した状態を示す斜視図である。
【図６】図４におけるVI-VI 線断面図である。
【図７】本発明に係る電池の収納構造を適用した電子機器において、フロントケースを正面側から見た斜視図である。
【図８】本発明に係る電池の収納構造を適用した電子機器において、フロントケースを背面側から見た斜視図である。
【図９】本発明に係る電池の収納構造を適用した電子機器において、蓋体を底面側から見た斜視図である。
【図１０】本発明に係る電池の収納構造を適用した電子機器におけるアンテナ基板を示し、同図（Ａ）は平面図、同図（Ｂ）は正面図、同図（Ｃ）は底面側から見た斜視図である。
【図１１】図１におけるXI-XI 線断面図である。
【図１２】本発明に係る電池の収納構造を適用した電子機器において、小容量の電池を収納した状態を示す図４におけるXII-XII 線断面図である。
【図１３】図２におけるXIII-XIII 線断面図である。
【図１４】図１３におけるXIV-XIV 線断面図である。
【符号の説明】
【００３８】
１…電子機器、２…開口、３…筺体、４…蓋体、５…リアーケース、６…フロントケース、１０…背面板、３５…電池収納部、３６…規制片、４０…支持板、４２…コンセント、４３…ＡＣアダプター、４４，４５…支持部、４６…規制板、４８…遊動規制部材。
【図１】
2008091060.tif 000003
【図２】
2008091060.tif 000004
【図３】
2008091060.tif 000005
【図４】
2008091060.tif 000006
【図５】
2008091060.tif 000007
【図６】
2008091060.tif 000008
【図７】
2008091060.tif 000009
【図８】
2008091060.tif 000010
【図９】
2008091060.tif 000011
【図１０】
2008091060.tif 000012
【図１１】
2008091060.tif 000013
【図１２】
2008091060.tif 000014
【図１３】
2008091060.tif 000015
【図１４】
2008091060.tif 000016